(57)【要約】【課題】多面鏡の品位を損なうことなく、かつ照射光に指向性を持たせることにより観察者にとって最適な照明効果とミラー効果とを実現し得る照明装置を提供する。【解決手段】三面鏡（１０）の左側鏡体（１１）及び右側鏡体（１２）は、観察者（Ｈ）側に配置されたハーフミラー（１１ａ・１２ａ）と、ハーフミラー（１１ａ・１２ａ）を透過して観察者（Ｈ）に対して照明光を出射する照明部（２０ａ・２０ｂ）とを備える。照明部（２０ａ・２０ｂ）は、導光板（２１ａ・２１ｂ）と光源（２２Ａ）とを備える。導光板（２１ａ・２１ｂ）の光取り出し構造（２３ａ〜２３ｆ）は、導光板（２１ａ・２１ｂ）からの出射光が、板面に垂直な方向に対して非平行かつ一定方向の指向性を有するように形成されている。【選択図】図１
2015150392.tif 000002
【特許請求の範囲】
【請求項１】
対象物を映し出す左側鏡体、右側鏡体及び中央鏡体を有する多面鏡を備え、該対象物に対して照明光を出射する照明装置において、
上記左側鏡体及び右側鏡体は、対象物側に配置されたハーフミラーと、該ハーフミラーの上記対象物側とは反対側に配置され、かつ該ハーフミラーを透過して対象物に対して照明光を出射する照明部とを備え、
上記照明部は、導光板と、該導光板に光を入射させる光源とを備え、
上記導光板には、上記光源から入射されて該導光板内部を進行する光を上記ハーフミラーへ向けて出射する光取り出し構造が形成されていると共に、
上記光取り出し構造は、上記導光板からの出射光が、該導光板の板面に垂直な方向に対して非平行かつ一定方向の指向性を有するように形成されていることを特徴とする照明装置。
【請求項２】
前記導光板の光取り出し構造は、該導光板に形成された凹プリズムからなっていることを特徴とする請求項１記載の照明装置。
【請求項３】
前記導光板の光取り出し構造は、複数種類の一定方向の指向性を有するように形成されていることを特徴とする請求項１又は２記載の照明装置。
【請求項４】
前記光源は、前記導光板における上端部側、下端部側、左端部側又は右端部側の少なくともいずれか一方の位置に配されていることを特徴とする請求項１、２又は３記載の照明装置。
【請求項５】
前記対象物の存在を検知する検知センサと、上記検知センサが対象物の存在を検知したときに前記光源を点灯させる点灯制御部とが設けられていることを特徴とする請求項１〜４のいずれか１項に記載の照明装置。
【発明の詳細な説明】
【技術分野】
【０００１】
本発明は、三面鏡等の多面鏡から照明光を出射する照明装置に関するものである。
【背景技術】
【０００２】
観察者が化粧等を行うときに使用される鏡には、鏡に映る観察者を最適に照らす照明が求められる。しかし、鏡と照明とを別体にすると、照明の角度によって鏡に映し出される観察者に影が生じるので好ましくない。
【０００３】
そこで、鏡と照明と一体化した三面鏡照明が開発されている。例えば、三面鏡照明の一例として、非特許文献１には、三面鏡の長手方向の一部に光源を配置することによって、上方向からの光源による観察者への影が生じる影響を低減した、鏡と照明一体とした照明具が開示されている。
【０００４】
この照明具１００では、図９及び図１０に示すように、左側鏡１１１、右側鏡１１２及び中央鏡１１３にて三面鏡１１０が構成されている。そして、左側鏡１１１と中央鏡１１３との間にＬＥＤ光源１０１を取り付け、同様に、右側鏡１１２と中央鏡１１３との間にＬＥＤ光源１０１を取り付けている。
【０００５】
また、例えば、特許文献１に開示されたＬＥＤ付き鏡２００においては、図１１に示すように、中央鏡２０２の両端部において縦方向に光源２０１・２０１を配置している。
【０００６】
上述した照明具１００及びＬＥＤ付き鏡２００では、従来、上方向からの照明が基本の洗面化粧台に対して、縦方向に光源部であるＬＥＤ光源１０１・１０２又は光源２０１・２０１を配置することによって、観察者の顔、特に影の出易い顎の下や、顔の横側まで影を生じさせず、しっかりと照らすことが可能となっている。
【先行技術文献】
【特許文献】
【０００７】
【特許文献１】特開２００７−９８０３５号公報（２００７年４月１９日公開）
【非特許文献】
【０００８】
【非特許文献１】パナソニック社「洗面ドレッシング  ウツクシーズ」、[online]、[2014.02.04検索]、インターネット〈URL：http://sumai.panasonic.jp/dressing/utsukushi-zu/〉
【発明の概要】
【発明が解決しようとする課題】
【０００９】
しかしながら、上記従来の照明具１００では、左側鏡１１１と中央鏡１１３との間及び右側鏡１１２と中央鏡１１３との間に、ＬＥＤ光源１０１・１０１がそれぞれ配置されている。また、上記従来のＬＥＤ付き鏡２００においても、中央鏡２０２の両端部において縦方向に光源２０１・２０１を配置している。このため、照明部と鏡とが一体となっておらず、その境界に物理的な継ぎ目が生じ、照明点灯時の品位が損なわれるといった課題が生じる。
【００１０】
また、上記従来の照明具１００及びＬＥＤ付き鏡２００では、ＬＥＤ光源１０１・１０１及び光源２０１・２０１を縦方向に設置するため、そのＬＥＤ光源１０１・１０１及び光源２０１・２０１を設置する分、鏡として利用できる部分が小さくなる。
【００１１】
また、ＬＥＤ光源１０１及び光源２０１の指向性が考慮されていない条件では、正面の観察者Ｈにおける光束量取り出し効率は、低くなり、ロス分が多くなる。このため、所望の光束量取り出し効率の特性を得るための代替案として、ＬＥＤ光源１０１及び光源２０１の個数の増加等の施策をする必要がある。
【００１２】
本発明は、上記従来の問題点に鑑みなされたものであって、その目的は、多面鏡の品位を損なうことなく、かつ照射光に指向性を持たせることにより観察者にとって最適な照明効果とミラー効果とを実現し得る照明装置を提供することにある。
【課題を解決するための手段】
【００１３】
本発明の一態様における照明装置は、上記の課題を解決するために、対象物を映し出す左側鏡体、右側鏡体及び中央鏡体を有する三面鏡を備え、該対象物に対して照明光を出射する照明装置において、上記左側鏡体及び右側鏡体は、対象物側に配置されたハーフミラーと、該ハーフミラーの上記対象物側とは反対側に配置され、かつ該ハーフミラーを透過して対象物に対して照明光を出射する照明部とを備え、上記照明部は、導光板と、該導光板に光を入射させる光源とを備え、上記導光板には、上記光源から入射されて該導光板内部を進行する光を上記ハーフミラーへ向けて出射する光取り出し構造が形成されていると共に、上記光取り出し構造は、上記導光板からの出射光が、該導光板の板面に垂直な方向に対して非平行かつ一定方向の指向性を有するように形成されていることを特徴としている。
【発明の効果】
【００１４】
本発明の一態様によれば、多面鏡の品位を損なうことなく、かつ照射光に指向性を持たせることにより観察者にとって最適な照明効果とミラー効果とを実現し得る照明装置を提供するという効果を奏する。
【図面の簡単な説明】
【００１５】
【図１】（ａ）は本発明の実施形態１における三面鏡用照明装置の構成を示す左側面図であり、（ｂ）はその三面鏡用照明装置の構成を示す正面図であり、（ｃ）はその三面鏡用照明装置の構成を示す右側面図である。
【図２】上記三面鏡用照明装置の構成を示す斜視図である。
【図３】（ａ）は上記三面鏡用照明装置における導光板からの出射方向を示す図であり、（ｂ）は左側鏡体の上側の光取り出し構造にて出射されたときの導光板の輝度分布を示す正面図である。
【図４】（ａ）は上記三面鏡用照明装置の作用を示す平面図であり、（ｂ）は比較例の三面鏡用照明装置の作用を示す平面図である。
【図５】（ａ）は本発明の実施形態２における三面鏡用照明装置の構成を示す左側面図であり、（ｂ）はその三面鏡用照明装置の構成を示す正面図であり、（ｃ）はその三面鏡用照明装置の構成を示す右側面図である。
【図６】（ａ）は本発明の実施形態３における三面鏡用照明装置の構成を示す左側面図であり、（ｂ）はその三面鏡用照明装置の構成を示す正面図であり、（ｃ）はその三面鏡用照明装置の構成を示す右側面図である。
【図７】（ａ）は本発明の実施形態４における三面鏡用照明装置の構成を示す左側面図であり、（ｂ）はその三面鏡用照明装置の構成を示す正面図であり、（ｃ）はその三面鏡用照明装置の構成を示す右側面図である。
【図８】（ａ）は本発明の実施形態５における三面鏡用照明装置の構成を示す左側面図であり、（ｂ）はその三面鏡用照明装置の構成を示す正面図であり、（ｃ）はその三面鏡用照明装置の構成を示す右側面図である。
【図９】従来の三面鏡用照明装置の構成を示す正面図である。
【図１０】上記従来の三面鏡用照明装置の構成を示す側面断面図である。
【図１１】従来の他の三面鏡用照明装置の構成を示す斜視図である。
【発明を実施するための形態】
【００１６】
〔実施の形態１〕
本発明の一実施形態について図１〜図４に基づいて説明すれば、以下のとおりである。
【００１７】
本実施の形態の照明装置としての三面鏡用照明装置は、鏡台としての三面鏡、洗面台に備え付けられた洗面台用鏡、又は店舗等に設置される姿見鏡等に適用される。尚、本実施の形態では、鏡台としての三面鏡について、説明するが、必ずしもこれに限らず、三面鏡以上の多面鏡であってもよい。また、以下の実施形態は本発明が具現化された一例にすぎず、本発明の要旨を変更しない範囲で、実施形態が適宜変更され得ることは勿論である。
【００１８】
本実施の形態の照明装置としての三面鏡用照明装置１Ａの構成について、図１の（ａ）（ｂ）（ｃ）〜図３の（ａ）（ｂ）に基づいて説明する。図１の（ａ）は本実施の形態における三面鏡用照明装置１Ａの構成を示す左側面図である。図１の（ｂ）はその三面鏡用照明装置１Ａの構成を示す正面図である。図１の（ｃ）はその三面鏡用照明装置１Ａの構成を示す右側面図である。図２は、三面鏡用照明装置１Ａの構成を示す斜視図である。図３（ａ）は三面鏡用照明装置１Ａにおける導光板２１ａ・２１ｂからの出射方向を示す図である。図３（ｂ）は左側鏡体１１の上側の光取り出し構造２３ａにて出射されたときの導光板２１ａの輝度分布を示す正面図である。尚、ここでは、説明の簡略化のためにハーフミラー１１ａ・１２ａ、導光板２１ａ・２１ｂ、及び光源２２Ａ・２２Ａの支持に関する機構の図示を省略している。
【００１９】
本実施の形態の三面鏡用照明装置１Ａは、図２に示すように、左側鏡体１１、右側鏡体１２及び中央鏡体１３にて構成された三面鏡１０と、この三面鏡１０の左側鏡体１１及び右側鏡体１２に取り付けられた照明部２０ａ・２０ｂとを備えたものからなっている。
【００２０】
具体的には、図１の（ａ）（ｂ）（ｃ）に示すように、左側鏡体１１、右側鏡体１２及び中央鏡体１３は、それぞれ鏡フレーム２に嵌め込まれていると共に、左側鏡体１１及び右側鏡体１２は、図示しないヒンジにて中央鏡体１３に回転自在に取り付けられている。
【００２１】
本実施の形態の三面鏡用照明装置１Ａでは、中央鏡体１３は、例えば一般的に用いられているガラスミラーにてなっている。ただし、必ずしもガラスミラーに限らず、樹脂製品からなっていてもよい。
【００２２】
これに対して、左側鏡体１１及び右側鏡体１２は、それぞれ、前面がハーフミラー１１ａ・１２ａにて構成されると共に、ハーフミラー１１ａ・１２ａの背面には、上記照明部２０ａ・２０ｂが該ハーフミラー１１ａ・１２ａの一部に配設されている。詳細には、照明部２０ａ・２０ｂは、左側鏡体１１及び右側鏡体１２において、それぞれ中央鏡体１３側の端部に縦方向に設けられている。
【００２３】
上記ハーフミラー１１ａ・１２ａは、入射する光の一部を反射し一部を透過させる機能を有する部材であり、観察者Ｈ等の対象物を映し出す鏡面を有し、該鏡面に入射する光を透過させる。このハーフミラー１１ａ・１２ａは、上記鏡フレーム２に嵌めこまれ、観察者Ｈ側に配置される。ハーフミラー１１ａ・１２ａとしては、従来公知のものが使用され、例えば、透光性を有する合成樹脂又は透光性ガラスの片面に金属蒸着膜又は蒸着フィルムが貼り付けられたものが使用される。
【００２４】
ここで、図１の（ｂ）において、ハーフミラー１１ａ・１２ａの上下方向をＸ方向とし、左右方向をＹ方向とし、前後方向をＺ方向とする。尚、Ｚ方向について、対象物である観察者Ｈ側を前側としている。
【００２５】
また、ハーフミラー１１ａ・１２ａの光透過率は、本発明の効果を損なわない範囲から適宜選択されればよく、鏡としてのミラー効果を強調するために、５０％未満であることが特に好ましい。
【００２６】
上記照明部２０ａ・２０ｂは、それぞれ面発光光源からなっており、それぞれ導光板２１ａ・２１ｂと、導光板２１ａ・２１ｂの上下の端面に配置された光源２２Ａ・２２Ａとを備えている。この照明部２０は、観察者Ｈへ照射するための照明光を、ハーフミラー１１ａ・１２ａの一部の領域である発光エリアＳを通過するように出射する構成になっている。
【００２７】
光源２２Ａ・２２Ａは、図示しない支持部材によって、導光板２１ａ・２１ｂのＸ方向である上下方向の両端面に配置されている。このため、光源２２Ａ・２２Ａから出射される光が導光板２１ａ・２１ｂの上下の端面から該導光板２１ａ・２１ｂの内部に入射できるようになっている。尚、本実施の形態では、光源２２Ａ・２２Ａは、導光板２１ａ・２１ｂのＸ方向である上下方向の両端面に配置されているが、必ずしもこれに限らない。例えば、導光板２１ａ・２１ｂにおける上下の端面のうちのいずれか一方のみに配置されていてもよい。また、光源２２Ａ・２２Ａは、導光板２１ａ・２１ｂの左右の側端面に設けられていいてもよい。
【００２８】
上記光源２２Ａは、ＬＥＤ（Light-Emitting Diode：発光ダイオード）モジュール又は冷陰極管、熱陰極管若しくは白色電球等を用いることができる。また、光源２２Ａから出射される光の波長は、その用途に応じて適宜選択することができる。
【００２９】
導光板２１ａ・２１ｂは、ハーフミラー１１ａ・１２ａの背面の一部において縦方向に配置されている。尚、本実施の形態のでは、導光板２１ａ・２１ｂは、ハーフミラー１１ａ・１２ａの背面の一部に設けられているが、必ずしもこれに限らず、ハーフミラー１１ａ・１２ａの背面の全面に設けられていてもよい。その場合には、例えば、後述する光取り出し構造２３ａ〜２３ｆを中央鏡体１３に近い方の端部に設けることが好ましい。
【００３０】
上記導光板２１ａ・２１ｂは、透光性部材であれば材料及び形状は限定されず、材料として透光性樹脂又は透光性ガラスを用いることができる。透光性樹脂は、例えば、メタクリル系樹脂、アクリル系樹脂、ポリカーボネート系樹脂、ポリエステル系樹脂、又は塩化ビニル系樹脂等であることが好ましい。
【００３１】
導光板２１ａには、ハーフミラー１１ａとは対向していない背面側の上部、中部及び下部における複数箇所に微細な光取り出し構造２３ａ・２３ｂ・２３ｃが備えられている。また、導光板２１ｂには、ハーフミラー１２ａとは対向していない背面側の上部、中部及び下部における複数箇所に微細な光取り出し構造２３ｄ・２３ｅ・２３ｆが備えられている。
【００３２】
上記光取り出し構造２３ａ〜２３ｆを構成する凹ドット（凹部）の断面形状は、図１の（ａ）（ｃ）に示すような略三角形状である。ただし、凹ドットの断面形状は、必ずしも略三角形状に限らず、略四角形状又は略半円形状等であってもよい。さらに、他の形状であってもよい。
【００３３】
ここで、本実施の形態の光取り出し構造２３ａ〜２３ｆは、図１の（ａ）（ｂ）（ｃ）に示すように、各発光エリアＳにおいて、互いに異なる種類の凹ドット形状が形成されたものからなっている。
【００３４】
上記光取り出し構造２３ａ〜２３ｆを構成する凹ドットは、各発光エリアＳにおいて、一つ一つの大きさが同じであってよく又は異なっていてもよい。凹ドットの大きさは、光取り出し構造２３ａ〜２３ｆがハーフミラー１１ａ・１２ａを通して観察者Ｈに視認されない範囲から適宜選択されればよい。光取り出し構造２３ａ〜２３ｆを構成する凹ドットの開口の寸法は、０．２ｍｍφ以下であることが特に好ましい。
【００３５】
また、光取り出し構造２３ａ〜２３ｆを構成する凹ドットの密度及び分布形状は、本発明の効果を損なわない程度に適宜調整され、等密度及び等間隔分布の形状とすることができる。ただし、必ずしもこれに限らず、例えば、密度が異なるグラデーション分布の形状であってもよい。
【００３６】
本実施の形態の三面鏡用照明装置１Ａは、このように、導光板２１ａ・２１ｂが面発光光源として機能すると共に、この面発光光源はハーフミラー１１ａ・１２ａの背面に配され、面発光光源が配されている部分においても鏡としての機能が保たれる。そして、本実施の形態では、鏡と面発光光源とが一体となっているので、継ぎ目のない照明となり、鏡としての品位が損なわれない。
【００３７】
すなわち、従来では、左側鏡体と中央鏡体との間及び中央鏡体と右側鏡体との間に、光源が配置されていた。このため、鏡の境界に物理的な継ぎ目が生じ、照明点灯時の品位が損なわれるといった課題が生じていた。また、従来の照明具では、光源が鏡の設置領域の一部を占領することになっていたので、鏡として利用できる部分が小さくなるという課題があった。
【００３８】
この点、本実施の形態の三面鏡用照明装置１Ａでは、上記の構成により、上述した課題が解決されている。
【００３９】
次に、上記の構成を有する三面鏡用照明装置１Ａの使用方法について説明する。
【００４０】
まず、図示しない電源から光源２２Ａ・２２Ａへ電力が供給されると、光源２２Ａ・２２Ａが発光する。光源２２Ａ・２２Ａから出射された光Ｌ１・Ｌ１は、導光板２１ａ・２１ｂの上下の端面から該導光板２１ａ・２１ｂの内部に入射する。導光板２１ａ・２１ｂの内部に入射された光Ｌ１・Ｌ１は、導光板２１ａ・２１ｂとハーフミラー１１ａ・１２ａとの界面、及び導光板２１ａ・２１ｂと鏡フレーム２との界面にてそれぞれ全反射を繰り返しながら、導光板２１ａ・２１ｂの内部を進行する。
【００４１】
ここで、導光板２１ａ・２１ｂの内部を進行する光Ｌ１・Ｌ１のうち、光取り出し構造２３ａ〜２３ｆにて反射された光は、導光板２１ａ・２１ｂから観察者Ｈ側へ出射される。すなわち、導光板２１ａ・２１ｂから出射された光Ｌ２…は、ハーフミラー１１ａ・１２ａを透過し、三面鏡用照明装置１Ａから照明光として出射され、観察者Ｈを照射する。したがって、導光板２１ａ・２１ｂから出射された光Ｌ２…は、図１の（ｂ）に示すように、ハーフミラー１１ａ・１２ａの表面に発光エリアＳ…を形成する。また、観察者Ｈを照明した光Ｌ２…の反射光Ｌ３は、ハーフミラー１１ａ・１２ａにて反射され、ハーフミラー１１ａ・１２ａに鏡像を形成する。この鏡像は、観察者Ｈによって明瞭に視認されることになる。
【００４２】
本実施の形態における三面鏡用照明装置１Ａでは、導光板２１ａ・２１ｂから出射される光Ｌ２…がハーフミラー１１ａ・１２ａの背面側から該ハーフミラー１１ａ・１２ａに入射し、ハーフミラー１１ａ・１２ａを透過して観察者Ｈを照射する。このため、観察者Ｈがハーフミラー１１ａ・１２ａの鏡面に近づいても影が生じることなく、観察者Ｈに対して鏡像を妨げることはなく、光Ｌ２…を照射することができるという照明効果を有する。
【００４３】
このように、本実施の形態では、左側鏡体１１及び右側鏡体１２の鏡面の全面をハーフミラー１１ａ・１２ａによって形成しても、発光エリアＳ…をハーフミラー１１ａ・１２ａの表面上の一部に限定することができる。このため、照明効果と観察者Ｈの鏡像を映すミラー効果とを両立することができる。
【００４４】
ところで、一般的には、導光板の光取り出し構造は、印刷ドットパターンからなっており、導光板からの出射光は散乱光となり、指向性はない。この結果、三面鏡の前側全体が明るくなり、対象物である観察者の顔が特に明るくなるということはない。このため、例えば、女性が化粧する場合等においては、照明が不十分となる場合がある。
【００４５】
そこで、本実施の形態においては、導光板２１ａ・２１ｂの光取り出し構造２３ａ〜２３ｆは、導光板２１ａ・２１ｂからの出射光が、導光板２１ａ・２１ｂの板面に垂直な方向に対して非平行かつ一定方向の指向性を有するように形成されている。
【００４６】
具体的には、本実施の形態では、光取り出し構造２３ａ〜２３ｆにおける凹プリズムの形状を複数種類に変化させることによって、光取り出し構造２３ａ〜２３ｆにより反射された光Ｌ２が、光取り出し構造２３ａ〜２３ｆの各断面形状に応じた指向性を有するものとなっている。
【００４７】
例えば、図１の（ｂ）に示す左側鏡体１１に設けられた導光板２１ａの光取り出し構造２３ａにおいては、図３の（ａ）に示すように、導光板２１ａの板面に垂直な方向であるＺ軸に対して非平行の出射光を出射するようになっている。すなわち、光取り出し構造２３ａによる発光エリアＳは、観察者Ｈの顔に対して導光板２１ａの上側に位置しているので、Ｘ軸の正の方向（下側向き）に傾く一定方向の指向性を有している。また、光取り出し構造２３ａによる発光エリアＳは、観察者Ｈの顔に対して導光板２１ａの左側に位置しているので、Ｙ軸の正の方向（右側向き）に傾く一定方向の指向性を有している。
【００４８】
この結果、導光板２１ａの光取り出し構造２３ａによる発光エリアＳでは、図３の（ｂ）に示すように、右下側が明るくなる。
【００４９】
すなわち、本実施の形態では、導光板２１ａ・２１ｂから出射される光の輝度分布は、各発光エリアＳの内部において非対称な分布を有している。
【００５０】
個々の発光エリアＳにおける光取り出し構造２３ａ〜２３ｆについては、詳細には、図１の（ａ）（ｂ）（ｃ）に示すものとなっている。まず、左側鏡体１１に設けられた導光板２１ａの光取り出し構造２３ａ〜２３ｃは、一定方向である右側への指向性を有するように形成されている。一方、右側鏡体１２に設けられた導光板２１ｂの光取り出し構造２３ｄ〜２３ｆは、一定方向である左側への指向性を有するように形成されている。また、加えて、導光板２１ａ・２１ｂの上側の発光エリアＳの光取り出し構造２３ａ・２３ｄは、一定方向である下側への指向性を有するように形成されている。導光板２１ａ・２１ｂの縦方向の中央の発光エリアＳの光取り出し構造２３ｂ・２３ｅは、一定方向である横方向への指向性を有するように形成されている。導光板２１ａ・２１ｂの下側の発光エリアＳの光取り出し構造２３ｃ・２３ｆは、一定方向である上側への指向性を有するように形成されている。
【００５１】
また、本実施の形態では、左側鏡体１１における導光板２１ａの光取り出し構造２３ａ〜２３ｃと、右側鏡体１２における導光板２１ｂの光取り出し構造２３ｄ〜２３ｆとは、凹ドットの形状、角度、大きさ、密度等がそれぞれ互いに、中央鏡体１３の縦中心軸を中心とする線対称に形成されている。ただし、必ずしもこれに限らない。
【００５２】
このように、導光板２１ａ・２１ｂの光取り出し構造２３ａ〜２３ｆの各発光エリアＳに応じて導光板２１ａ・２１ｂからの出射光に最適な指向性を持たせることによって、対象物である観察者Ｈに対して最適な照明を実現することができる。
【００５３】
ここで、光取り出し構造２３ａ〜２３ｆによって反射された光Ｌ２…の指向性は、光取り出し構造２３ａ〜２３ｆの断面形状により調整できる。例えば、光取り出し構造２３ａ〜２３ｆの断面形状が直線にて構成されているときは指向性が強くなり、曲線が多くなるに伴って指向性が弱くなる。また、光取り出し構造２３ａ〜２３ｆの断面形状が三角形状に近い程指向性が強くなり、半円形状に近いほど指向性が弱くなる。さらに、光取り出し構造２３ａ〜２３ｆが形成された導光板２１ａ・２１ｂの裏面の傾斜角を変化させることによっても、出射光の指向性の方向を変えることが可能である。
【００５４】
この結果、光取り出し構造２３ａ〜２３ｆによって反射された光Ｌ２…は、光取り出し構造２３ａ〜２３ｆの断面形状を変化させることによって、特定範囲における光量を大きくするよう調節できる。
【００５５】
そのため、本実施の形態では、例えば、光透過率５０％未満のハーフミラー１１ａ・１２ａも使用することができる。この結果、光透過率の低いハーフミラー１１ａ・１２ａを用いることによって、鏡としてのミラー効果を強調することも可能である。
【００５６】
光取り出し構造２３ａ〜２３ｆを形成する形成面積は自由に変化させることが可能である。鏡としての品位を向上させるためには、形成面積は極力小さくなるようにすることが望ましい。
【００５７】
また、本実施の形態の三面鏡用照明装置１Ａでは、照明部２０ａ・２０ｂの高さ方向の位置によって、それぞれ異なる断面形状又は大きさを有する光取り出し構造２３ａ〜２３ｆを設けている。これによって、複数の一定方向に指向性を有する照明光を出射させることができるので、様々な照明効果も演出することができる。例えば、観察者Ｈの顔が特に明るくなるようにしたり、観察者Ｈの上半身が明るくなるようにしたりすることができる。
【００５８】
さらに、使用する光源２２Ａ・２２Ａの光量が小さく、かつ光透過率の高いハーフミラー１１ａ・１２ａを使用する場合には、導光板２１ａ・２１ｂの背面に光反射率の小さい板やシートを配置することによって、ミラー効果を補強してもよい。例えば、黒色の板又はシートを使用した場合には、コントラストを高める効果がある。
【００５９】
ここで、本実施の形態の三面鏡用照明装置１Ａでは、三面鏡１０における左側鏡体１１及び右側鏡体１２に、光取り出し構造２３ａ〜２３ｆを有する導光板２１ａ・２１ｂを設けている。この理由について、図４の（ａ）（ｂ）に基づいて説明する。図４（ａ）は本実施の形態の三面鏡用照明装置１Ａの作用を示す平面図であり、図４（ｂ）は比較例の三面鏡用照明装置１Ｚの作用を示す平面図である。
【００６０】
すなわち、本実施の形態では、ハーフミラー１１ａ・１２ａの背面に導光板２１ａ・２１ｂを設けて指向性を持たせる構成の三面鏡用照明装置１Ａとなっている。この構成においては、例えば、図４の（ｂ）に示すように、三面鏡１０の中央鏡体１３において、ハーフミラー１３ａの背面に導光板８０ａ・８０ｂを設けて指向性を持たせる構成の比較例の三面鏡用照明装置１Ｚにおいても、鏡としての品位が損なうことなく、対象物である観察者Ｈに対して従来よりもよい照明を実現することが可能である、
しかしながら、三面鏡１０の中央鏡体１３に光取り出し構造２３ａ〜２３ｆを有する導光板８０ａ・８０ｂを設けたとしても、指向性が一定方向に限定されているので、照射光の焦点位置を変更することができない。この結果、例えば、対象物である観察者Ｈが三面鏡１０から遠い位置に存在する場合には、照明位置が観察者Ｈに合致せず、必要な強度の照明光を得ることができない。この結果、十分な照明を得るためには、観察者Ｈ自身が最適な照明位置に移動しなければならない。
【００６１】
これに対して、本実施の形態の三面鏡用照明装置１Ａでは、図４の（ａ）に示すように、左側鏡体１１及び右側鏡体１２に、光取り出し構造２３ａ〜２３ｆを有する導光板２１ａ・２１ｂを設けている。この結果、指向性が一定方向に限定されていても、左側鏡体１１及び右側鏡体１２を回転することができるので、照明位置、つまり照明の焦点距離を変更することができる。したがって、左側鏡体１１及び右側鏡体１２を回転することによって、照明強度を高くすることができるので、観察者Ｈにとって最適な照明を得ることができる。また、左側鏡体１１及び右側鏡体１２を回転するだけで、観察者Ｈにとって最適な照明を得ることができるので、便利である。すなわち、観察者Ｈに最も効率よく集光させることが可能となり、通常の平面鏡に比べて出射方向の最適化が可能となることがわかる。
【００６２】
このように、本実施の形態の三面鏡用照明装置１Ａは、観察者Ｈを映し出す左側鏡体１１、右側鏡体１２及び中央鏡体１３を有する多面鏡としての三面鏡１０を備え、観察者Ｈに対して照明光を出射する。そして、左側鏡体１１及び右側鏡体１２は、観察者Ｈ側に配置されたハーフミラー１１ａ・１２ａと、該ハーフミラー１１ａ・１２ａの観察者Ｈ側とは反対側に配置され、かつ該ハーフミラー１１ａ・１２ａを透過して観察者Ｈに対して照明光を出射する照明部２０ａ・２０ｂとを備えている。照明部２０ａ・２０ｂは、導光板２１ａ・２１ｂと、該導光板２１ａ・２１ｂに光を入射させる光源２２Ａ・２２Ａとを備えている。また、導光板２１ａ・２１ｂには、光源２２Ａ・２２Ａから入射されて該導光板２１ａ・２１ｂ内部を進行する光をハーフミラー１１ａ・１２ａへ向けて出射する光取り出し構造２３ａ〜２３ｆが形成されている。光取り出し構造２３ａ〜２３ｆは、導光板２１ａ・２１ｂからの出射光が、該導光板２１ａ・２１ｂの板面に垂直な方向に対して非平行かつ一定方向の指向性を有するように形成されている。
【００６３】
すなわち、ハーフミラー１１ａ・１２ａの背面に導光板２１ａ・２１ｂを設けて一定方向の指向性を持たせる構成の照明装置においては、平面鏡ではその機能を十分に発揮できない。
【００６４】
しかし、本実施の形態では、三面鏡１０の左側鏡体１１及び右側鏡体１２に導光板２１ａ・２１ｂを設けることにより、効果を優れたものとすることが可能となる。
【００６５】
したがって、三面鏡１０の品位を損なうことなく、かつ照射光に指向性を持たせることにより観察者Ｈにとって最適な照明効果とミラー効果とを実現し、利便性を有する三面鏡用照明装置１Ａを提供することができる。
【００６６】
また、これによって、使用する光源２２Ａ・２２ＡにおけるＬＥＤのコスト低減、三面鏡１０の薄型化、及び光取り出し構造２３ａ〜２３ｆの形成面積の低減等の外観部向上効果を得ることが可能となる。
【００６７】
また、本実施の形態の三面鏡用照明装置１Ａでは、導光板２１ａ・２１ｂの光取り出し構造２３ａ〜２３ｆは、該導光板２１ａ・２１ｂに形成された凹プリズムからなっている。これにより、凹プリズムによって、容易に一定方向の指向性を持たせることが可能となる。
【００６８】
また、本実施の形態の三面鏡用照明装置１Ａでは、導光板２１ａ・２１ｂの光取り出し構造２３ａ〜２３ｆは、複数種類の一定方向の指向性を有するように形成されている。
【００６９】
これにより、例えば、三面鏡１０の高さ方向において、導光板２１ａ・２１ｂの上側からは下側向けて一定方向の指向性を有するようにし、導光板の下側からは上側へ向けて一定方向の指向性を有するようにすることが可能となる。したがって、面発光光源である導光板２１ａ・２１ｂから出射される光の指向性を、三面鏡１０の高さ位置又は水平位置に応じて適切なものとすることが可能となる。
【００７０】
また、本実施の形態の三面鏡用照明装置１Ａでは、光源２２Ａ・２２Ａは、導光板２１ａ・２１ｂにおける上端部側若しくは下端部側又は左端部側若しくは右端部側の少なくともいずれか一方の位置に配されている。
【００７１】
これにより、光源２２Ａ・２２Ａを、導光板２１ａ・２１ｂにおける上端部側若しくは下端部側又は左端部側若しくは右端部側におけるどの位置に設けてもよいことになる。この結果、三面鏡１０の設置場所に応じて、光源２２Ａ・２２Ａの設置位置の適宜選択することができる。
【００７２】
したがって、光源２２Ａ・２２Ａを目立たない位置に配設することが可能なるので、三面鏡１０の品位を保つことができる。
【００７３】
尚、本発明は、上記の実施の形態に限定されるものではなく、本発明の範囲内で種々の変更が可能である。例えば、上記実施の形態では、ハーフミラー１１ａ・１２ａ及び導光板２１ａ・２１ｂの形状を概略長方形の平板としている。しかし、ハーフミラー１１ａ・１２ａ及び導光板２１ａ・２１ｂの形状は必ずしも長方形である必要はなく、多角形や円形、その他の形状でもよく、形状に制限はない。また、導光板２１ａ・２１ｂは、平板でなくともよく、湾曲していてもよい。
【００７４】
〔実施の形態２〕
本発明の他の実施の形態について図５に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００７５】
本実施の形態の照明装置としての三面鏡用照明装置１Ｂは、図５の（ａ）（ｂ）（ｃ）に示すように、右側鏡体１２に設けられた導光板２１ｂにおける光取り出し構造２３ｄ’〜２３ｆ’の形状が、実施の形態１の三面鏡用照明装置１Ａの右側鏡体１２に設けられた導光板２１ｂにおける光取り出し構造２３ｄ〜２３ｆの形状と異なっている。
【００７６】
本実施の形態の三面鏡用照明装置１Ｂの構成について、図５の（ａ）（ｂ）（ｃ）に基づいて説明する。図５の（ａ）は本実施の形態における三面鏡用照明装置１Ｂの構成を示す左側面図である。図５の（ｂ）は三面鏡用照明装置１Ｂの構成を示す正面図である。図５の（ｃ）は、三面鏡用照明装置１Ｂの構成を示す右側面図である。
【００７７】
本実施の形態の三面鏡用照明装置１Ｂでは、右側鏡体１２に設けられた導光板２１ｂにおける光取り出し構造２３ｄ’〜２３ｆ’の形状が、実施の形態１の三面鏡用照明装置１Ａの右側鏡体１２に設けられた導光板２１ｂにおける光取り出し構造２３ｄ〜２３ｆの形状とは異なっている。
【００７８】
すなわち、実施の形態１の三面鏡用照明装置１Ａの右側鏡体１２に設けられた導光板２１ｂにおける光取り出し構造２３ｄ〜２３ｆは、導光板２１ａにおける光取り出し構造２３ａ〜２３ｃに対して左右対称の形状となっていた。そして、これにより、左側鏡体１１と右側鏡体１２とから同じ光量の光が観察者Ｈに照射されるものとなっていた。
【００７９】
これに対して、本実施の形態の三面鏡用照明装置１Ｂでは、右側鏡体１２に設けられた導光板２１ｂにおける光取り出し構造２３ｄ’〜２３ｆ’の形状が、右側鏡体１２に設けられた導光板２１ｂにおける光取り出し構造２３ｄ〜２３ｆの形状と左右対称ではない。
【００８０】
このように、光取り出し構造２３ａ〜２３ｃ及び光取り出し構造２３ｄ’〜２３ｆ’の凹プリズムの大きさは、一つ一つ大きさが異なっていてもよく、ハーフミラー１１ａ・１２ａを通して、光取り出し構造２３ａ〜２３ｆが観察者に視認されない範囲から適宜選択されればよい。
【００８１】
また、光取り出し構造２３ａ〜２３ｃ及び光取り出し構造２３ｄ’〜２３ｆ’の凹プリズムの密度及び分布形状も、等間隔に限られず、グラデーション分布を形成する等、本発明の効果を損なわない程度に適宜調整してもよい。
【００８２】
そして、本実施の形態においても、これら光取り出し構造２３ａ〜２３ｃ及び光取り出し構造２３ｄ’〜２３ｆ’の凹プリズムの開口を０．２ｍｍφ以下にすることが特に好ましい。
【００８３】
このように、本実施の形態の三面鏡用照明装置１Ｂでは、各導光板２１ａ・２１ｂの各発光エリアＳ…において、それぞれに異なる断面形状又は大きさの凹プリズムを有する光取り出し構造２３ａ〜２３ｃ及び光取り出し構造２３ｄ’〜２３ｆ’を設ける。
【００８４】
これによって、導光板２１ａ・２１ｂからの出射光に対して、該導光板２１ａ・２１ｂの板面に垂直な方向に対して非平行かつ複数の一定方向の指向性を有するように出射させる。
【００８５】
これにより、様々な照明効果を演出することができ、観察者Ｈが自身の鏡像を左側鏡体１１、右側鏡体１２及び中央鏡体１３に映して利用する場合に、適した照明効果を観察者Ｈに与えることができる。
【００８６】
〔実施の形態３〕
本発明の他の実施の形態について図６に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００８７】
本実施の形態の照明装置としての三面鏡用照明装置１Ｃは、図６の（ａ）（ｂ）（ｃ）に示すように、右側鏡体１２に設けられた導光板２１ｂにおける光取り出し構造２３ｇ〜２３ｊの形状が、実施の形態１の三面鏡用照明装置１Ａの右側鏡体１２に設けられた導光板２１ｂにおける光取り出し構造２３ｄ〜２３ｆ及び実施の形態２の三面鏡用照明装置１Ｂの光取り出し構造２３ｄ’〜２３ｆ’の形状と異なっている。
【００８８】
本実施の形態の三面鏡用照明装置１Ｃの構成について、図６の（ａ）（ｂ）（ｃ）に基づいて説明する。図６の（ａ）は本実施の形態における三面鏡用照明装置１Ｃの構成を示す左側面図である。図６の（ｂ）は三面鏡用照明装置１Ｃの構成を示す正面図である。図６の（ｃ）は、三面鏡用照明装置１Ｃの構成を示す右側面図である。
【００８９】
本実施の形態の三面鏡用照明装置１Ｃでは、右側鏡体１２に設けられた導光板２１ｂにおける光取り出し構造２３ｇ〜２３ｊの形状が、実施の形態１の三面鏡用照明装置１Ａの右側鏡体１２に設けられた導光板２１ｂにおける光取り出し構造２３ｄ〜２３ｆ及び実施の形態２の三面鏡用照明装置１Ｂの光取り出し構造２３ｄ’〜２３ｆ’の形状と異なっている。
【００９０】
すなわち、例えば、実施の形態１の三面鏡用照明装置１Ａ及び実施の形態２の三面鏡用照明装置１Ｂでは、導光板２１ａ・２１ｂにおける光取り出し構造２３ａ〜２３ｆ及び光取り出し構造２３ａ〜２３ｃ、２３ｄ’〜２３ｆ’であり、左側鏡体１１及び右側鏡体１２について、いずれも３種類の一定方向の指向性を有するように出射させるものとなっている。
【００９１】
ここで、これらの構成において、さらに、多くの種類の一定方向の指向性を有するように出射させるために、例えば、左側鏡体１１及び右側鏡体１２のそれぞれの導光板２１ａ・２１ｂの厚さに傾斜を持たせることによって、互いに異なる複数種類の一定方向の指向性を持つ光を出射することが可能となる。
【００９２】
しかし、このような構成にした場合には、左側鏡体１１及び右側鏡体１２の全体的な厚みが厚くなるといった課題がある。
【００９３】
そこで、本実施の形態の三面鏡用照明装置１Ｃでは、右側鏡体１２に設けられた導光板２１ｂにおける光取り出し構造２３ｇ〜２３ｊの形状を４種類となっている。尚、本実施の形態では、光取り出し構造２３ｇ〜２３ｊの形状を４種類としているが、必ずしも４種類とする必要はなく、他の複数種類であってもよい。
【００９４】
これによって、光取り出し構造２３ａ〜２３ｃ、２３ｇ〜２３ｊによって、導光板２１ａ・２１ｂからそれぞれ任意の種類の一定方向の指向性を持つ光を出射することが可能となる。詳細には、例えば、導光板２１ａ・２１ｂの発光エリアＳを多分割することによって、観察者Ｈにとって最適な照明を提供することが可能となる。
【００９５】
このように、本実施の形態の三面鏡用照明装置１Ｃでは、同一の導光板２１ａ・２１ｂ上に、左側鏡体１１及び右側鏡体１２について互いに異なる種類の光取り出し構造２３ａ〜２３ｃ及び光取り出し構造２３ｇ〜２３ｊを形成することによって、左側鏡体１１及び右側鏡体１２とで非対称な配光分布を持ちつつ、構成品の厚みを薄くすることが可能となる。
【００９６】
また、左側鏡体１１及び右側鏡体１２のいずれか一方の導光板２１ａ・２１ｂからの出射角度を同一の角度の一定方向の指向性を持たせることによって、観察者Ｈの手元又は下方向に重点的に照射させることも可能となる。
【００９７】
したがって、本実施の形態の三面鏡用照明装置１Ｃでは、左側鏡体１１及び右側鏡体１２の導光板２１ａ・２１ｂについて、互いに異なる複数種類の一体方向の指向性を持たせることによって、一枚の導光板２１ａ・２１ｂであっても、観察者Ｈを照明する照射方向を周囲の照明や外光に応じて最適に選択することができる。
【００９８】
〔実施の形態４〕
本発明の他の実施の形態について図７に基づいて説明すれば、以下のとおりである。尚、本実施の形態において説明すること以外の構成は、前記実施の形態１〜実施の形態３と同じである。また、説明の便宜上、前記の実施の形態１〜実施の形態３の図面に示した部材と同一の機能を有する部材については、同一の符号を付し、その説明を省略する。
【００９９】
本実施の形態の照明装置としての三面鏡用照明装置１Ｄは、図７の（ａ）（ｂ）（ｃ）に示すように、右側鏡体１２に設けられた光源２２Ｂの位置が実施の形態１〜３の三面鏡用照明装置１Ａ〜１Ｃの光源２２Ａの位置とは異なっている。
【０１００】
本実施の形態の三面鏡用照明装置１Ｄの構成について、図７の（ａ）（ｂ）（ｃ）に基づいて説明する。図７の（ａ）は本実施の形態における三面鏡用照明装置１Ｄの構成を示す左側面図である。図７の（ｂ）は三面鏡用照明装置１Ｄの構成を示す正面図である。図７の（ｃ）は、三面鏡用照明装置１Ｄの構成を示す右側面図である。
【０１０１】
本実施の形態の三面鏡用照明装置１Ｄでは、図７の（ａ）（ｂ）（ｃ）に示すように、右側鏡体１２に設けられた照明部２０ｂにおける光源２２Ｂは、導光板２１ｂの右側端面に設けられている。尚、光源２２Ｂは、ＬＥＤ（Light-Emitting Diode：半導体ダイオード）モジュール、冷陰極管若しくは熱陰極管、又は白色電球等を用いることができる。また、光源２２Ｂから出射される光の波長は、その用途に応じて適宜選択できる。
【０１０２】
このように、本実施の形態の三面鏡用照明装置１Ｄでは、光源２２Ａ・２２Ｂは、導光板２１ａ・２１ｂの上下又は左右の少なくともいずれか一方の位置に構成することが可能である。
【０１０３】
したがって、本実施の形態では、光源２２Ｂは、導光板２１ｂの左側端面に設けられているが、必ずしもこれに限らず、例えば、光源２２Ｂを、導光板２１ｂの左側端面に設けることも可能である。
【０１０４】
この結果、光源２２Ａ・２２Ｂにて導光板２１ａ・２１ｂの上下又は左右の少なくともいずれか一方の位置から光を入射させることによって、例えば、光源２２Ａ・２２Ｂの数を少なくすることができる。
【０１０５】
また、光源２２Ａ・２２Ｂの導光板２１ａ・２１ｂへの光の入射のさせ方と、光取り出し構造２３ａ〜２３ｃ及び光取り出し構造２３ｋ〜２３ｍとの複数種類の一定方向への指向性との組み合わせによって、観察者Ｈに対して、さらに最適な照明効果を有する照明と一体化した三面鏡用照明装置１Ｄを提供することができる。
【０１０６】
また、光源２２Ａ・２２Ｂの位置を自由に選択することによって、三面鏡用照明装置１Ｄの設置位置が制限されることがなくなる。或いは、光源２２Ａ・２２Ｂの位置を自由に選択することによって、光源２２Ａ・２２Ｂが観察者Ｈから見えないようにすることが可能となる。
【０１０７】
〔実施の形態５〕
本発明の他の実施の形態について図８に基づいて説明すれば、以下のとおりである。尚、本実施の形態において説明すること以外の構成は、前記実施の形態１〜実施の形態４と同じである。また、説明の便宜上、前記の実施の形態１〜実施の形態４の図面に示した部材と同一の機能を有する部材については、同一の符号を付し、その説明を省略する。
【０１０８】
本実施の形態の照明装置としての三面鏡用照明装置１Ｅは、図８の（ａ）（ｂ）（ｃ）に示すように、観察者Ｈの存在を検知する検知センサとしての人体検知センサ３が設けられている点が、実施の形態１〜４の三面鏡用照明装置１Ａ〜１Ｄと異なっている。
【０１０９】
本実施の形態の三面鏡用照明装置１Ｅの構成について、図８の（ａ）（ｂ）（ｃ）に基づいて説明する。図８の（ａ）は本実施の形態における三面鏡用照明装置１Ｅの構成を示す左側面図である。図８の（ｂ）は三面鏡用照明装置１Ｅの構成を示す正面図である。図８の（ｃ）は、三面鏡用照明装置１Ｅの構成を示す右側面図である。
【０１１０】
本実施の形態における三面鏡用照明装置１Ｅは、図８の（ａ）（ｂ）（ｃ）に示すように、対象物としての観察者Ｈの存在を検知する検知センサとしての人体検知センサ３と、この人体検知センサ３が観察者Ｈの存在を検知したときに光源２２Ａ・２２Ａを点灯させる点灯制御部４とが設けられている。
【０１１１】
上記人体検知センサ３は、本実施の形態では、例えば、中央鏡体１３の鏡フレーム２の上端の中央部分に配置されている。ただし、必ずしもこれに限らず、他の設置場所でもよい。
【０１１２】
人体検知センサ３としては、例えば、焦電型赤外線素子を備え、人体から放射される赤外線を検知する赤外線検知センサが用いられる。また、観察者Ｈへ向けて超音波を放射する超音波振動子を備え、観察者Ｈから反射する超音波を検知することにより人体を検知する超音波センサが用いられてもよい。
【０１１３】
この人体検知センサ３は、本実施の形態では、光源２２Ａ・２２Ａの点灯と連動するようになっている。すなわち、光源２２Ａ・２２Ａは、人体検知センサ３と連動することによって、点灯制御部４にて点灯及び消灯が制御されている。
【０１１４】
この結果、観察者Ｈが三面鏡用照明装置１Ｅから所定の距離の領域に接近し、人体検知センサ３が観察者Ｈを検知すると、光源２２Ａ・２２Ａが点灯するようになる。また、逆に、観察者Ｈが三面鏡用照明装置１Ｅから所定の距離の領域から離れ、観察者Ｈが離れたことを人体検知センサ３が検知すると、光源２２Ａ・２２Ａが消灯するように設定されている。
【０１１５】
このように、本実施の形態における三面鏡用照明装置１Ｅでは、観察者Ｈが接近することによって、光源２２Ａ・２２Ａを点灯させて鏡付き照明として機能する。一方、観察者Ｈが離れることによって光源２２Ａ・２２Ａを消灯し単なる鏡として機能する。
【０１１６】
したがって、本実施の形態における三面鏡用照明装置１Ｅでは、照明の意外性を効果的に演出することができる。
【０１１７】
また、本実施の形態における三面鏡用照明装置１Ｅでは、観察者Ｈが使用していない場合、無駄な電気が使用されないといった省エネルギー性を有するという効果もある。
【０１１８】
さらに、三面鏡用照明装置１Ｅは、例えば、人体検知センサ３によって観察者Ｈの背丈を認識するような構成とすることができる。これによって観察者Ｈの背丈に合わせた高さに照明光を照射させることが可能な三面鏡用照明装置１Ｅを提供することができる。
【０１１９】
〔まとめ〕
本発明の態様１における照明装置（三面鏡用照明装置１Ａ）は、対象物（観察者Ｈ）を映し出す左側鏡体１１、右側鏡体１２及び中央鏡体１３を有する多面鏡（三面鏡１０）を備え、該対象物（観察者Ｈ）に対して照明光を出射する照明装置（三面鏡用照明装置１Ａ）において、上記左側鏡体１１及び右側鏡体１２は、対象物（観察者Ｈ）側に配置されたハーフミラー１１ａ・１２ａと、該ハーフミラー１１ａ・１２ａの上記対象物（観察者Ｈ）側とは反対側に配置され、かつ該ハーフミラー１１ａ・１２ａを透過して対象物（観察者Ｈ）に対して照明光を出射する照明部２０ａ・２０ｂとを備え、上記照明部２０ａ・２０ｂは、導光板２１ａ・２１ｂと、該導光板２１ａ・２１ｂに光を入射させる光源２２Ａ・２２Ａとを備え、上記導光板２１ａ・２１ｂには、上記光源２２Ａ・２２Ａから入射されて該導光板２１ａ・２１ｂの内部を進行する光を上記ハーフミラー１１ａ・１２ａへ向けて出射する光取り出し構造２３ａ〜２３ｆが形成されていると共に、上記光取り出し構造２３ａ〜２３ｆは、上記導光板２１ａ・２１ｂからの出射光が、該導光板２１ａ・２１ｂの板面に垂直な方向に対して非平行かつ一定方向の指向性を有するように形成されていることを特徴としている。
【０１２０】
上記の発明によれば、多面鏡の左側鏡体及び右側鏡体は、対象物側に配置されたハーフミラーと、該ハーフミラーの上記対象物とは反対側に配置され、かつ該ハーフミラーを透過して対象物に対して照明光を出射する照明部とを備えている。また、照明部は、導光板と、該導光板に光を入射させる光源とを備え、上記導光板には、上記光源から入射されて該導光板内部を進行する光を上記ハーフミラーへ向けて出射する光取り出し構造が形成されている。
【０１２１】
これにより、本発明では、導光板が面発光光源として機能すると共に、この面発光光源はハーフミラーの背面に配され、面発光光源が配されている部分においても鏡としての機能が保たれる。そして、本発明では、鏡と面発光光源とが一体となっているので、継ぎ目のない照明となり、鏡としての品位が損なわれない。
【０１２２】
また、本発明においては、導光板の光取り出し構造は、導光板からの出射光が、該導光板の板面に垂直な方向に対して非平行かつ一定方向の指向性を有するように形成されている。この結果、光取り出し構造にて導光板からの出射光に最適な指向性を持たせることによって、対象物である観察者に対して最適な照明を実現することができる。
【０１２３】
また、本発明では、左側鏡体及び右側鏡体に、光取り出し構造を有する導光板を設けている。この結果、指向性が一定方向に限定されていても、左側鏡体及び右側鏡体を回転することができるので、照明位置、つまり照明の焦点距離を変更することができる。したがって、左側鏡体及び右側鏡体は回転することによって、照明強度を高くすることができるので、観察者にとって最適な照明を得ることができる。また、左側鏡体及び右側鏡体を回転するだけで、観察者にとって最適な照明を得ることができるので、便利である。
【０１２４】
このように、ハーフミラーの背面に導光板を設けて一定方向の指向性を持たせる構成の照明装置においては、平面鏡ではその機能を十分に発揮できない。しかし、本発明では、多面鏡の左側鏡体及び右側鏡体に導光板を設けることにより、効果を優れたものとすることが可能となる。
【０１２５】
したがって、多面鏡の品位を損なうことなく、かつ照射光に指向性を持たせることにより観察者にとって最適な照明効果とミラー効果とを実現し、利便性を有する照明装置を提供することができる。
【０１２６】
本発明の態様２における照明装置は、態様１における照明装置において、前記導光板の光取り出し構造は、該導光板に形成された凹プリズムからなっているとすることができる。
【０１２７】
これにより、凹プリズムによって、容易に一定方向の指向性を持たせることが可能となる。
【０１２８】
本発明の態様３における照明装置は、態様１又は２における照明装置において、前記導光板の光取り出し構造は、複数種類の一定方向の指向性を有するように形成されていることが好ましい。
【０１２９】
これにより、例えば、三面鏡の高さ方向において、導光板の上側からは下側へ向けて一定方向の指向性を有するようにし、導光板の下側からは上側へ向けて一定方向の指向性を有するようにすることが可能となる。したがって、面発光光源である導光板から出射される光の指向性を、三面鏡の高さ位置又は水平位置に応じて適切なものとすることが可能となる。
【０１３０】
本発明の態様４における照明装置は、態様１、２又は３における照明装置において、前記光源は、前記導光板における上端部側、下端部側、左端部側又は右端部側の少なくともいずれか一方の位置に配されているとすることができる。
【０１３１】
これにより、光源を、導光板における上端部側若しくは下端部側又は左端部側若しくは右端部側におけるどの位置に設けてもよいので、三面鏡の設置場所に応じて、光源の設置位置の適宜選択することができる。この結果、光源を目立たない位置に配設することが可能なるので、多面鏡の品位を保つことができる。
【０１３２】
本発明の態様５における照明装置は、態様１〜４のいずれか１における照明装置において、前記対象物の存在を検知する検知センサと、上記検知センサが対象物の存在を検知したときに前記光源を点灯させる点灯制御部とが設けられていることが好ましい。
【０１３３】
これにより、対象物である観察者が、多面鏡の前に位置するだけで、自動的に照明されるので、便利な照明装置とすることが可能となる。
【０１３４】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３５】
本発明は、いわゆる鏡台としての三面鏡以上の多面鏡に適用可能であり、洗面台に備え付けられた洗面台用鏡、又は店舗等に設置される姿見鏡等の照明装置に適用することが可能である。
【符号の説明】
【０１３６】
１Ａ              三面鏡用照明装置
１Ｂ              三面鏡用照明装置
１Ｃ              三面鏡用照明装置
１Ｄ              三面鏡用照明装置
１Ｅ              三面鏡用照明装置
２                鏡フレーム
３                人体検知センサ（検知センサ）
４                点灯制御部
１０                三面鏡
１１                左側鏡体
１１ａ              ハーフミラー
１２                右側鏡体
１２ａ              ハーフミラー
１３                中央鏡体
２０ａ・２０ｂ      照明部
２１ａ・２１ｂ      導光板
２２Ａ・２２Ｂ      光源
２３ａ〜２３ｆ      光取り出し構造
２３ｄ’〜２３ｆ ’  光取り出し構造
２３ｇ〜２３ｊ      光取り出し構造
２３ｋ〜２３ｍ      光取り出し構造
Ｌ１              光
Ｌ２              光
Ｌ３              反射光
Ｓ                発光エリア
【図１】
2015150392.tif 000003
【図２】
2015150392.tif 000004
【図４】
2015150392.tif 000005
【図５】
2015150392.tif 000006
【図６】
2015150392.tif 000007
【図７】
2015150392.tif 000008
【図８】
2015150392.tif 000009
【図９】
2015150392.tif 000010
【図１０】
2015150392.tif 000011
【図１１】
2015150392.tif 000012
【図３】
2015150392.tif 000013